【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
（ａ）第１の色の第１のインクを含有する第１のインク供給体に接続するための第１のインク供給路と、第２の色の第２のインクを含有する第２のインク供給体に接続するための第２のインク供給路と、前記第１の色と実質的に同じ色の第３のインクを含有する第３のインク供給体に接続するための第３のインク供給路と、前記第２の色と実質的に同じ色の第４のインクを含有する第４のインク供給体に接続するための第４のインク供給路とを含み、前記第１および第２の色が実質的に同じでない、複数のインク供給路と、
（ｂ）デジタルデータ信号に応答し、インクを含有するインク供給体がインク供給路に接続されるときに前記インクが前記インク供給体からインクジェットプリントヘッドアレイに流れることができるように前記複数のインク供給路と接続している、固定位置にあるインクジェットプリントヘッドアレイと、
（ｃ）前記インクジェットプリントヘッドアレイによって画定された印刷領域と、
（ｄ）印刷される支持体を前記印刷領域を通過させるための手段と、を含むインクジェット印刷装置であって、
前記インクジェットプリントヘッドアレイが複数のノズル列を含み、前記ノズル列の各々が前記印刷領域のほぼ端から端までの方向に配置され、前記複数のノズル列が、
第１のインク供給体が前記第１のインク供給路に接続されるときに第１のインクが前記第１のインク供給体から第１のノズル列に流れることができるように前記第１のインク供給路と接続している第１のノズル列と、
第２のインク供給体が前記第２のインク供給路に接続されるときに第２のインクが前記第２のインク供給体から第２のノズル列に流れることができるように前記第２のインク供給路と接続している第２のノズル列と、
第３のインク供給体が前記第３のインク供給路に接続されるときに第３のインクが前記第３のインク供給体から第３のノズル列に流れることができるように前記第３のインク供給路と接続している第３のノズル列と、
第４のインク供給体が前記第４のインク供給路に接続されるときに第４のインクが前記第４のインク供給体から第４のノズル列に流れることができるように前記第４のインク供給路と接続している第４のノズル列とを含み、
前記第３のノズル列は、相応する第１のノズル列に対して余剰であり、前記第４のノズル列は、相応する第２のノズル列に対して余剰である、インクジェット印刷装置。
【請求項２】
（ａ）請求項１に記載の、デジタルデータ信号に応答するインクジェット印刷装置を提供する工程と、
（ｂ）前記インクジェット印刷装置に、印刷される支持体を装填する工程と、
（ｃ）プリンタにインクジェットインクセットを装填する工程と、
（ｄ）前記デジタルデータ信号に応答して前記インクジェットインクセットを用いて前記支持体上に印刷する工程と、を含み、
破損した相応するノズル列のための代用品として余剰のノズル列が使用される第１の様式において前記プリンタが作動され、および／または前記余剰のノズル列が前記相応するノズル列に対する補助物としておよび前記相応するノズル列と協働して用いられる第２の様式において前記プリンタが作動される、支持体上にインクジェット印刷するための方法。
【手続補正２】
【補正対象書類名】明細書
【補正対象項目名】００４８
【補正方法】変更
【補正の内容】
【００４８】
本発明は２つの異なったインクの各々のための少なくとも２つのセットの余剰ノズルを規定するが、インクセットの全てのインクが余剰ノズルセットを有することは必要ではない。原色（ＣＹＭ）のためにだけ余剰ノズルセットを有し、黒色またはいずれかの二次色（Ｒ、Ｇおよび／またはＢ）の色のために有さないことが望ましい場合があり、本発明の定義の範囲内である。破損したＫ、Ｒ、ＧまたはＢノズルにＣＹＭの組合せを充填することができるのでこの配置が適している場合があるが、原色のバックアップがない。あるいは、余剰セットのＫノズルならびにＣＹＭを備えることによって、上に記載された様式のどちらかにおいて作動するとき、より速い印刷を可能にする場合がある。
次に、本発明の好ましい態様を示す。
１．（ａ）第１の色の第１のインクを含有する第１のインク供給体に接続するための第１のインク供給路と、第２の色の第２のインクを含有する第２のインク供給体に接続するための第２のインク供給路と、前記第１の色と実質的に同じ色の第３のインクを含有する第３のインク供給体に接続するための第３のインク供給路と、前記第２の色と実質的に同じ色の第４のインクを含有する第４のインク供給体に接続するための第４のインク供給路とを含み、前記第１および第２の色が実質的に同じでない、複数のインク供給路と、
（ｂ）デジタルデータ信号に応答し、インクを含有するインク供給体がインク供給路に接続されるときに前記インクが前記インク供給体からインクジェットプリントヘッドアレイに流れることができるように前記複数のインク供給路と接続している、固定位置にあるインクジェットプリントヘッドアレイと、
（ｃ）前記インクジェットプリントヘッドアレイによって画定された印刷領域と、
（ｄ）印刷される支持体を前記印刷領域を通過させるための手段と、を含むインクジェット印刷装置であって、
前記インクジェットプリントヘッドアレイが複数のノズル列を含み、前記ノズル列の各々が前記印刷領域のほぼ端から端までの方向に配置され、前記複数のノズル列が、
第１のインク供給体が前記第１のインク供給路に接続されるときに第１のインクが前記第１のインク供給体から第１のノズル列に流れることができるように前記第１のインク供給路と接続している第１のノズル列と、
第２のインク供給体が前記第２のインク供給路に接続されるときに第２のインクが前記第２のインク供給体から第２のノズル列に流れることができるように前記第２のインク供給路と接続している第２のノズル列と、
第３のインク供給体が前記第３のインク供給路に接続されるときに第３のインクが前記第３のインク供給体から第３のノズル列に流れることができるように前記第３のインク供給路と接続している第３のノズル列と、
第４のインク供給体が前記第４のインク供給路に接続されるときに第４のインクが前記第４のインク供給体から第４のノズル列に流れることができるように前記第４のインク供給路と接続している第４のノズル列とを含み、
前記第３のノズル列は、相応する第１のノズル列に対して余剰であり、前記第４のノズル列は、相応する第２のノズル列に対して余剰である、インクジェット印刷装置。
２．前記複数のインク供給路が、
前記第３の色の第５のインクを含有する第５のインク供給体に接続するための第５のインク供給路と、
前記第３の色と実質的に同じ色の第６のインクを含有する第６のインク供給体に接続するための第６のインク供給路と、をさらに含み、
前記第１、第２および第３の色が実質的に同じでなく、
前記複数のノズル列が、
第５のインク供給体が前記第５のインク供給路に接続されるときに第５のインクが前記第５のインク供給体から第５のノズル列に流れることができるように前記第５のインク供給路と接続している第５のノズル列と、
第６のインク供給体が前記第６のインク供給路に接続されるときに前記第６のインクが前記第６のインク供給体から第６のノズル列に流れることができるように前記第６のインク供給路と接続している第６のノズル列と、をさらに含み、
前記第６のノズル列は、相応する第５のノズル列に対して余剰である、上記１に記載のインクジェット印刷装置。
３．前記複数のインク供給路が、
前記第４の色の第７のインクを含有する第７のインク供給体に接続するための第７のインク供給路と、
場合により、前記第７の色と実質的に同じ色の第８のインクを含有する第８のインク供給体に接続するための第８のインク供給路とをさらに含み、
前記第１、第２、第３および第４の色が実質的に同じでなく、
前記複数のノズル列が、
第７のインク供給体が前記第７のインク供給路に接続されるときに第７のインクが前記第７のインク供給体から第７のノズル列に流れることができるように前記第７のインク供給路と接続している第７のノズル列と、
場合により、第８のインク供給体が前記第８のインク供給路に接続されるときに第８のインクが前記第８のインク供給体から第８のノズル列に流れることができるように前記第８のインク供給路と接続している第８のノズル列と、をさらに含み、
前記第８のノズル列は、存在するとき、相応する第７のノズル列に対して余剰である、上記２に記載のインクジェット印刷装置。
４．（ｅ）前記第１のインクが第１のインク供給体から前記第１のノズル列に流れることができるように前記第１のインク供給路に接続された第１の色の第１のインクを含有する第１のインク供給体と、
（ｆ）前記第２のインクが第２のインク供給体から前記第２のノズル列に流れることができるように前記第２のインク供給路に接続された第２の色の第２のインクを含有する第２のインク供給体と、
（ｇ）前記第３のインクが第３のインク供給体から前記第３のノズル列に流れることができるように前記第３のインク供給路に接続された前記第１の色と実質的に同じ色の第３のインクを含有する第３のインク供給体と、
（ｈ）前記第４のインクが第４のインク供給体から前記第４のノズル列に流れることができるように前記第４のインク供給路に接続された前記第２の色と実質的に同じ色の第４のインクを含有する第４のインク供給体と、をさらに含み、
前記第１および第２の色が実質的に同じ色でない、上記１に記載のインクジェット印刷装置。
５．前記複数のインク供給路が、
前記第３の色の第５のインクを含有する第５のインク供給体に接続するための第５のインク供給路と、
前記第３の色と実質的に同じ色の第６のインクを含有する第６のインク供給体に接続するための第６のインク供給路と、をさらに含み、
前記複数のノズル列が、
第５のインク供給体が前記第５のインク供給路に接続されるときに第５のインクが前記第５のインク供給体から第５のノズル列に流れることができるように前記第５のインク供給路と接続している第５のノズル列と、
第６のインク供給体が前記第６のインク供給路に接続されるときに前記第６のインクが前記第６のインク供給体から第６のノズル列に流れることができるように前記第６のインク供給路と接続している第６のノズル列と、をさらに含み、
前記第６のノズル列は、相応する第５のノズル列に対して余剰であり、
インクジェット印刷装置が、
（ｉ）前記第５のインクが第５のインク供給体から前記第５のノズル列に流れることができるように前記第５のインク供給路に接続された第３の色の第５のインクを含有する第５のインク供給体と、
（ｊ）前記第６のインクが第６のインク供給体から前記第６のノズル列に流れることができるように前記第６のインク供給路に接続された前記第３の色と実質的に同じ色の第６のインクを含有する第６のインク供給体と、をさらに含み、
前記第１、第２および第３の色が実質的に同じでない、
請求項４に記載のインクジェット印刷装置。
６．前記複数のインク供給路が、
前記第４の色の第７のインクを含有する第７のインク供給体に接続するための第７のインク供給路と、
場合により、前記第７の色と実質的に同じ色の第８のインクを含有する第８のインク供給体に接続するための第８のインク供給路と、をさらに含み、
前記複数のノズル列が、
第７のインク供給体が前記第７のインク供給路に接続されるときに第７のインクが前記第７のインク供給体から第７のノズル列に流れることができるように前記第７のインク供給路と接続している第７のノズル列と、
場合により、第８のインク供給体が前記第８のインク供給路に接続されるときに第８のインクが前記第８のインク供給体から第８のノズル列に流れることができるように前記第８のインク供給路と接続している第８のノズル列と、をさらに含み、
前記第８のノズル列は、存在するとき、相応する第７のノズル列に対して余剰であり、
インクジェット印刷装置が、
（ｋ）前記第７のインクが第７のインク供給体から前記第７のノズル列に流れることができるように前記第７のインク供給路に接続された第４の色の第７のインクを含有する第７のインク供給体と、
（ｌ）場合により、前記第８のインクが第８のインク供給体から前記第８のノズル列に流れることができるように前記第８のインク供給路に接続された前記第４の色と実質的に同じ色の第８のインクを含有する第８のインク供給体と、をさらに含み、
前記第１、第２、第３および第４の色が実質的に同じでない、上記５に記載のインクジェット印刷装置。
７．前記第１の色がシアンであり、前記第２の色がマゼンタであり、前記第３の色がイエローである、上記２または上記５に記載のインクジェット印刷装置。
８．前記第１の色がシアンであり、前記第２の色がマゼンタであり、前記第３の色がイエローであり、前記第４の色が黒色である、上記３または上記６に記載のインクジェット印刷装置。
９．印刷濃度が７２０ｄｐｉ以上である、上記１〜８のいずれか一項に記載のインクジェット印刷装置。
１０．（ａ）上記１〜９のいずれか一項に記載の、デジタルデータ信号に応答するインクジェット印刷装置を提供する工程と、
（ｂ）前記インクジェット印刷装置に、印刷される支持体を装填する工程と、
（ｃ）プリンタにインクジェットインクセットを装填する工程と、
（ｄ）前記デジタルデータ信号に応答して前記インクジェットインクセットを用いて前記支持体上に印刷する工程と、を含み、
破損した相応するノズル列のための代用品として余剰のノズル列が使用される第１の様式において前記プリンタが作動され、および／または前記余剰のノズル列が前記相応するノズル列に対する補助物としておよび前記相応するノズル列と協働して用いられる第２の様式において前記プリンタが作動される、支持体上にインクジェット印刷するための方法。